(57)【特許請求の範囲】
【請求項１】
重なり合う厚紙シートの端縁部に、それぞれ２本の切目線に挟まれたロック片を設け、このロック片の折り曲げに伴い両シートの重合状態を保持するロックにおいて、前記ロック片をなす２本の切目線を同一方向に斜向させ、両シートのロック片を先端へかけて互いに逆方向にずらして、このずれた部分が噛み合うようにしたことを特徴とする厚紙シートの重合ロック。
【発明の詳細な説明】
【０００１】
【発明の属する技術分野】
この発明は、厚紙シートを重ね合わせた状態で保持するロックに関するものである。
【０００２】
【従来の技術】
例えば、厚紙製の包装箱を廃棄する際には、嵩を低くするため、その身及び蓋を扁平に解体して二つ折りにすることがある。このとき、厚紙の反発による折目の戻りを防ぐロックとして、図９に示すようなものが考えられる。
【０００３】
このロックは、二つ折りにした紙箱シート５０の重なり合う端縁部に、先端へ向けて間隔が拡がる２本の切目線に挟まれたロック片５１を設け、両ロック片５１、５１を同方向に折り曲げ、一方のロック片５１の側縁と、他方のロック片５１が抜け出した切欠部５２の側縁との摩擦により、両シート５０、５０をロックするものである。
【０００４】
【発明が解決しようとする課題】
しかしながら、上記のようなロックでは、ロック片の折り曲げが不意に戻ってロックが外れることがある。
【０００５】
また、ロック時にロック片がシートの一面側に突出するので、折り畳んだ紙箱を平坦に積み重ねることができないという問題がある。
【０００６】
そこで、この発明は、厚紙シートを重ね合わせた状態で確実に保持でき、ロック片がシートから突出することのない厚紙シートの重合ロックを提供することを課題とする。
【０００７】
【課題を解決するための手段】
上記のような課題を解決するため、この発明は、重なり合う厚紙シートの端縁部に、それぞれ２本の切目線に挟まれたロック片を設け、このロック片の折り曲げに伴い両シートの重合状態を保持するロックにおいて、前記ロック片をなす２本の切目線を同一方向に斜向させ、両シートのロック片を先端へかけて互いに逆方向にずらして、このずれた部分が噛み合うようにしたのである。
【０００８】
このロックでは、折り重ねたシートが、ロック片のずれた部分の噛み合いによりロックされるので、そのロック状態が不意に外れることがなく、また、ロック片がシートから突出することもない。
【０００９】
【発明の実施の形態】
以下、この発明の実施の形態を添付図面に基づいて説明する。
【００１０】
図１は、この発明に係るロックを備えた包装用紙箱を示す。この紙箱は、段ボールシートを素材とし、商品を収納する身１と、それに被せる蓋２とから構成されている。
【００１１】
図２に示す身１のブランクにおいて、基板３の周縁をなす対向２対の端縁のうち、一方の対の端縁には側板４、頂板５及び重合板６が、他方の対の端縁には側板７、頂板８及び重合板９がそれぞれ順次連設され、側板７及び重合板６の両側縁には、それぞれ折曲片１０、１１が連設されている。
【００１２】
前記基板３と、その両側の側板４、４、頂板５、５及び重合板６、６には、罫線又は半切り加工による折目線１２が連続的に設けられ、折曲片１０の基端縁には、ミシン目状の切目線１３が設けられている。なお、切目線１３に加えて、又は代えて、折曲片１１の基端縁に切目線を設けるようにしてもよい。また、前記重合板９の先端縁中央部には、ロックＬが設けられている。
【００１３】
このブランクの組み立てに際しては、側板７に対して折曲片１０を山折りしつつ、側板４、４及び側板７、７を起立させ、重合板６に対して折曲片１１を谷折りしつつ、頂板５を内側へ、重合板６を下方へ順次折り曲げて、折曲片１０を側板４と重合板６とで挟持する。そして、頂板８を内側へ、重合板９を下方へ順次折り曲げて、折曲片１１を側板７と重合板９とで挟持する。
【００１４】
また、図３に示す蓋２のブランクでは、基板２０の周縁をなす対向２対の端縁のうち、一方の対の端縁には側板２１が、他方の対の端縁には側板２２がそれぞれ連設され、側板２１の両側縁には折曲片２３が連設されている。
【００１５】
前記側板２１の中央部には垂直の折目線２４が、両側部には先端が内側に傾斜した折目線２５がそれぞれ罫線又は半切り加工により設けられ、折曲片２３の基端縁には、ミシン目状の切目線２６が設けられている。また、前記側板２２の先端縁中央部には、ロックＬが設けられている。
【００１６】
このブランクの組み立てに際しては、側板２１に対して折曲片２３を山折りしつつ、側板２１、２２を起立させ、折曲片２３を側板２２の内面に貼着する。
【００１７】
いま、上記のような紙箱の廃棄に際し、身１を潰すには、基板３に対して側板７、頂板８及び重合板９を伸ばし、次いで側板４、頂板５及び重合板６を伸ばしてブランク状態に解体する。なお、折曲片１０の基端縁を切目線１３に沿って切断し、折曲片１１の基端部を引き裂いて平板状に解体してもよい。そして、図４に示すように、この身１を折目線１２に沿って二つ折りする。
【００１８】
また、蓋２を潰すには、図５に示すように、折曲片２３の基端縁を切目線２６沿いに切断し、基板２０に対して側板２１、２２を伸ばした平板状態で、折目線２４に沿って二つ折りする。なお、側板２１を折目線２５に沿いに折り曲げて内側に倒し、続いて側板２２を内側に倒すようにして平板状態にしてもよい。
【００１９】
ところで、上記身１及び蓋２のロックＬは、図６に示すように、同一方向に斜向する２本の切目線３１、３１間をロック片３２とし、このロック片３２の基端縁に罫線３３を入れたものであり、身１及び蓋２の折り畳みに伴い重なり合った両シート３０、３０において、ロック片３２のずれた部分のうち、一方のシート３０のロック片３２の内側を押込部３４とし、他方のシート３０のロック片３２の外側を受当部３５とする。
【００２０】
そして、両シート３０、３０のロック片３２を同方向に折り曲げると、図７に示すように、一方の押込部３４が受当部３５と共に弾性変形しつつ、受当部３５の端縁をなす切目線３１を介して反対側に回り込み、押込部３４と受当部３５とが噛み合って両シート３０、３０がロックされる。
【００２１】
このように、上記ロックＬでは、重なり合う両シート３０、３０が、ロック片３２のずれた部分である押込部３４と受当部３５との噛み合いによりロックされるので、そのロック状態が不意に外れることがなく、身１及び蓋２の折畳状態が確実に保持される。
【００２２】
また、ロック片３２がシート３０から突出することもないので、身１及び蓋２を折り畳んだ状態で平坦に積み上げることができる。
【００２３】
なお、上記ロックＬは表裏対称となっているので、ロック片３２をどちらの方向に折り曲げても、同様にロックすることができる。
【００２４】
ところで、図８に示すように、段目がシート３０の端縁に並行する場合には、押込部３４及び受当部３５が弾性変形しにくいので、これらの少なくとも一方の基端に罫線を入れておくとよい。
【００２５】
【発明の効果】
以上のように、この発明に係るロックは、重ね合わせた厚紙シートがロック片の互いに逆方向にずれた部分の噛み合いによりロックされるので、ロック片をどちらの方向に折り曲げても確実にロックされ、両シートの重合状態を確実に保持できる。
【００２６】
また、ロック状態において、ロック片がシートから突出することがないので、重ね合わせた厚紙シートを平坦に積み上げることができる。
【図面の簡単な説明】
【図１】この発明に係るロックを備えた紙箱の身及び蓋の斜視図
【図２】同上の身のブランクを示す図
【図３】同上の蓋のブランクを示す図
【図４】同上の身の折畳状態を示す斜視図
【図５】同上の蓋の折畳状態を示す斜視図
【図６】同上のロックの平面図
【図７】同上のロック状態を示す斜視図
【図８】（ａ）受当部の基端に罫線を設けたロックの平面図
（ｂ）押込部の基端に罫線を設けたロックの平面図
【図９】従来のロックを示す斜視図
【符号の説明】
Ｌ  ロック
１  身
２  箱
３０  シート
３１  切目線
３２  ロック片
３４  押込部
３５  受当部
【図１】
0003602731.tif 000002
【図２】
0003602731.tif 000003
【図３】
0003602731.tif 000004
【図４】
0003602731.tif 000005
【図５】
0003602731.tif 000006
【図６】
0003602731.tif 000007
【図７】
0003602731.tif 000008
【図８】
0003602731.tif 000009
【図９】
0003602731.tif 000010